(57)【要約】【課題】器具設置部に設置された状態での体裁が良く、かつ、蛍光ランプの発光効率の低下を抑制可能な照明器具を提供する。【解決手段】天井（器具設置部）Ｃに複数の設置ねじで直付けされる設置壁3bを有したシャーシ３と、枠状をなす金属製の枠体11と、環形の蛍光ランプ41とを具備する。シャーシ３の設置壁3bに、天井Ｃとは反対方向に突出する複数の連結凸部9b,9dとを設ける。連結凸部9b,9dに固着されて設置壁3bとの間に隙間G1を形成する連結縁部14b，15bを、枠体11の内周壁をなす壁部14a,15aが有する。連結縁部14b，15bを連結凸部9b,9dに固着してシャーシ３と枠体11とを連結する。設置壁3bに保持される蛍光ランプ41のバルブ43を連結縁部14b，15bに接近させる。【選択図】      図４
2006120425.tif 000002
【特許請求の範囲】
【請求項１】
器具設置部に複数の設置手段で直付けされる設置壁を有し、この設置壁に、前記器具設置部とは反対方向に突出する複数の連結凸部を設けたシャーシと；
枠状をなし、その内周壁に前記連結凸部に固着されて前記設置壁との間に隙間を形成する連結縁部を有し、この連結縁部を前記連結凸部に固着して前記シャーシに連結された金属製の枠体と；
バルブを有し、このバルブを前記連結縁部に接近させて前記設置壁に保持された環形蛍光ランプと；
を具備することを特徴とする照明器具。
【請求項２】
前記シャーシが金属製であるとともに、前記枠体が四角枠状であって、この枠体の内周壁の互いに平行な一対の壁部の夫々が前記連結縁部を有し、かつ、他の一対の壁部の夫々が折り曲げ縁部を有し、これら折り曲げ縁部が前記設置壁に熱的に接続されていることを特徴とする請求項１に記載の照明器具。
【請求項３】
前記他の一対の壁部の内の一方で覆われる前記設置壁の部位に、前記一方の壁部が有した前記折り曲げ縁部を引っ掛け可能な係止部を設けたことを特徴とする請求項２に記載の照明器具。
【発明の詳細な説明】
【技術分野】
【０００１】
本発明は天井等に直付け設置される照明器具に関する。
【背景技術】
【０００２】
従来の照明器具の中には、天井などに取付けられる器具本体に、蛍光ランプが取付けられるランプソケットを取付けるとともに、四角枠状の枠体からなる反射板のねじ挿通孔に通されるねじを、器具本体の略コーナに夫々形成したねじ孔に螺合することによって、器具本体に反射板を取付ける構成の照明器具が知られている（例えば、特許文献１参照。）。
【特許文献１】特開2002−184232号公報（段落0018−0021、図１、図３（ｄ））
【発明の開示】
【発明が解決しようとする課題】
【０００３】
一般的に、特許文献１に記載のような直付け形の照明器具の器具本体の裏面には、この裏面を器具設置部から離すための複数のスペーサ凸部が設けられていて、このスペーサ凸部と器具設置部との間の隙間によって、反射板、ランプソケット又は安定器などを器具本体に止めた部品取付け部材が器具設置部と干渉しないようにしている。しかしながら、このようなスペーサ凸部に基づく器具本体裏面と器具設置部との間の隙間は、器具設置部に対する器具本体の出幅を大きくする因子であるので、器具の取付け状態での体裁を向上するためにも、できる限り小さくすることが好ましい。
【０００４】
一方、照明器具の器具設置部からの出幅を小さくするために、単にスペーサ凸部の高さを小さくしたとしても、器具本体と器具設置部との間の隙間が小さくなってしまうことにより、この隙間（空間領域）への器具本体側からの放熱性が悪くなり、器具本体の温度が上がり易い。器具本体の温度が上がることに伴い、この器具本体に取付けられている蛍光ランプの温度も上昇する。蛍光ランプの温度が上がると、このランプの発光効率が低下することが知られている。
【０００５】
本発明の目的は、器具設置部に設置された状態での体裁が良く、かつ、蛍光ランプの発光効率の低下を抑制可能な照明器具を提供することにある。
【課題を解決するための手段】
【０００６】
前記課題を解決するために、請求項１の発明は、器具設置部に複数の設置手段で直付けされる設置壁を有し、この設置壁に、前記器具設置部とは反対方向に突出する複数の連結凸部を設けたシャーシと；枠状をなし、その内周壁に前記連結凸部に固着されて前記設置壁との間に隙間を形成する連結縁部を有し、この連結縁部を前記連結凸部に固着して前記シャーシに連結された金属製の枠体と；バルブを有し、このバルブを前記連結縁部に接近させて前記設置壁に保持された環形蛍光ランプと；を具備することを特徴としている。
【０００７】
本発明で、シャーシは、金属製又は合成樹脂製であり、その連結凸部は、設置壁とは別に成形された部品を設置壁に固定することで設けてもよいが、部品点数の削減のために設置壁と一体に成形することが好ましい。又、設置手段は、例えばねじ又はボルト等であって、シャーシを器具設置部に設置するために用いられる。なお、器具設置部は、例えば天井、又は配線ダクトのような部材も含まれる。本発明で、連結縁部は、枠体の内周壁にその周方向に連続して設けてもよく、又、内周壁の周方向に部分的に、例えば枠体が四角である場合には、互いに平行な一対の内周壁に、その長手方向に延びて設けることができる。又、本発明で、バルブが連結縁部に接近するとは、バルブからの輻射熱を連結縁部が受けることができる配置を指しており、例えばバルブが連結縁部に至近距離で対向していることが好ましいが、近傍位置であっても差し支えない。又、本発明で、枠体には、制光体が、取付けられていなくても、取付けられていてもよい。制光体は、バッフルまたはルーバなどであって、蛍光ランプに対向して設けられることで、所定の遮光角を得るものであり、或いは、所定の範囲外では蛍光ランプからの直接光を遮るように機能するものである。
【０００８】
この請求項１の発明では、器具設置部と反対方向に突出する連結凸部に枠体の連結縁部を固着して、シャーシと枠体とを組立てたので、この組み立てを担う固着手段を連結凸部の高さに応じて器具設置部に干渉しないように器具設置部から離すことができる。又、点灯された蛍光ランプが加熱するランプ回りの空気を、連結凸部の高さに応じて設置壁と連結縁部との間に形成される隙間を通して枠体の裏側とシャーシとの間に逃がして、ランプの周りに空気を流通させることができる。加えて、点灯された蛍光ランプのバルブから放出される輻射熱を、蛍光ランプのバルブに接近している金属製枠体の連結縁部で吸熱して、枠体全体に熱伝導させて枠体から周囲に放出できる。
【０００９】
又、請求項２の発明は、前記シャーシが金属製であるとともに、前記枠体が四角枠状であって、この枠体の内周壁の互いに平行な一対の壁部の夫々が前記連結縁部を有し、かつ、他の一対の壁部の夫々が折り曲げ縁部を有し、これら折り曲げ縁部が前記設置壁に熱的に接続されていることを特徴としている。この発明で、折り曲げ縁部と設置壁とが熱的に接続されているとは、折り曲げ縁部から設置壁への熱移動（熱伝導）が可能であることを指していて、そのために、折り曲げ縁部が設置壁に面接触していてもよく、折り曲げ縁部と設置壁との間に良熱伝導材からなる伝熱部材が挟まれていてもよい。
【００１０】
この請求項２の発明では、既述のように連結縁部が吸熱して枠体全体に拡散された蛍光ランプの熱を、折り曲げ縁部を介して金属製のシャーシに伝導させて、このシャーシからも外部に放出できる点で好ましい。
【００１１】
又、請求項３の発明は、前記他の一対の壁部の内の一方で覆われる前記設置壁の部位に、前記一方の壁部が有した前記折り曲げ縁部を引っ掛け可能な係止部を設けたことを特徴としている。この発明で、係止部は、設置壁とは別に成形された部品を設置壁に固定することで設けてもよいが、部品点数の削減のために設置壁と一体に成形することが好ましい。
【００１２】
器具設置部に設けられたシャーシに枠体を設置手段で連結するに際して、枠体はその中央部が開いていて、この中央部を作業者によって支持することができない。それにも拘わらず、この請求項３の発明では、器具設置部に設けられたシャーシの係止部に枠体の折り曲げ縁部を引っ掛けて仮保持できるので、枠体をシャーシに連結する作業が容易となる点で好ましい。
【発明の効果】
【００１３】
請求項１の発明によれば、器具設置部と設置壁との間の隙間を狭めて、天井等の器具設置部からの器具の出幅を小さくできるので、器具設置部に設置された状態での体裁が良いとともに、点灯された蛍光ランプの周りに空気を流通させることができることに加えて、蛍光ランプのバルブに接近している枠体の連結縁部で、バルブから放出される輻射熱を吸熱して枠体の周囲に放出できるので、蛍光ランプの温度上昇が抑制されて、このランプの発光効率の低下を抑制可能な照明器具を提供できる。
【００１４】
請求項２の発明によれば、蛍光ランプの熱を、枠体全体からだけではなく、シャーシからも外部に放出して、蛍光ランプの温度上昇をより効果的に抑制できるので、このランプの発光効率の低下を抑制する上で好ましい照明器具を提供できる。
【００１５】
請求項３の発明によれば、シャーシに枠体を引っ掛けて仮保持した状態で、枠体をシャーシに連結できるので、枠体の取付け作業性が良い照明器具を提供できる。
【発明を実施するための最良の形態】
【００１６】
図１〜図６を参照して本発明の一実施形態に係る直付け形の照明器具１について説明する。図１に示した照明器具１は器具設置部例えば天井Ｃ（図３及び図４参照）に直付けして設置される。この照明器具１は、器具本体２と、制光体例えばバッフル２１と、環形の蛍光ランプ４１とを具備している。
【００１７】
図２〜図４に示すように器具本体２は、例えばシャーシ３と枠体１１とを連結して形成されている。詳しくは、シャーシ３は、金属製好ましくは白色表面を有したカラー鋼板製であり、下面が開放された四角形の浅い箱状に成形されている。このシャーシ３の内面は反射面として使用され、又、シャーシ３の開口縁部３ａは夫々外側に張り出している。
【００１８】
シャーシ３の四角形状をなした設置壁３ｂにはその一側縁部に寄せて一対の通孔４ａ，４ｂが開けられている。一方の通孔４ａには図示しない電源供給線（Ｆケーブル）が通され、他方の通孔４ｂには電源送り線（Ｆケーブル）が必要により通されるようになっている。これらの電源供給線及び電源送り線は、通孔４ａ，４ｂ間に配置される図示しない端子台に接続される。前記一側縁部と平行な設置壁３ｂの他側縁部に寄せて、設置壁３ｂ内面にはランプソケット５が取付けられている。ランプソケット５はその略真下から蛍光ランプ４１の口金４２（図１参照）が着脱できるように形成されている。
【００１９】
設置壁３ｂの内面には複数のランプホルダ６が取付けられている。蛍光ランプ４１には、例えば見掛け上二本平行に並ぶように設けられたバルブ４３を有した環形蛍光ランプが使用されている。バルブ４３はシャーシ３の形状と略相似形状の四角環状をなしている。口金４２がランプソケット５に接続された蛍光ランプ４１のバルブ４３はランプホルダ６に着脱自在に支持される。
【００２０】
図３及び図４に示すように設置壁３ｂには、その裏面、つまり天井Ｃ方向に向けて突出する複数のスペーサ凸部７が一体に突設されている。これらのスペーサ凸部７は天井Ｃに当接される。シャーシ３は、図示しない設置手段例えば設置壁３ｂを貫通して天井Ｃにねじ込まれる複数の設置ねじを用いて天井Ｃに直付けされる。
【００２１】
図２〜図４に示すように設置壁３ｂには、少なくとも一つ、例えば複数の係止片８が、スペーサ凸部７の突出方向とは反対方向、つまり、本実施形態では下向きに切起こされている。これらの係止片８は、通孔４ａ，４ｂの近くに設けられていて、設置壁３ｂから下向きに起きる根元部とこれから設置壁３ｂと略平行に曲がった先端部とから断面略Ｌ字状（図３参照）をなし、その先端部は設置壁３ｂの中央部側を向いている。
【００２２】
図３及び図４に示すように設置壁３ｂには、複数例えば４個の連結凸部９ａ〜９ｄ（なお、連結凸部９ｂと対をなす連結凸部９ａは図示されない。）が、天井Ｃとは反対方向に突出して、言い換えれば、スペーサ凸部７の突出方向とは反対方向に突出して、つまり、本実施形態では下向きに突設されている。これら連結凸部９ａ〜９ｄは、設置壁３ｂから一体に起こされて、例えば設置壁３ｂの対角線上に位置して設けられている。
【００２３】
枠体１１は、金属製好ましくは白色表面を有したカラー鋼板製であり、中央部が開放され四角形の枠である。つまり、図１及び図２等に示すように枠体１１は、蛍光ランプ４１を間に置いて配置される第１の枠材１２及びこれに平行な第２の枠材１３と、これらの枠材１２，１３とは直角に配置されるとともに互いに平行な第３の枠材１４及び第４の枠材１５とを、互いに連結して形成されている。この枠体１１はシャーシ３の開口縁部３ａを覆う大きさに形成されている。
【００２４】
各枠材１２〜１５の内周側の壁部１２ａ〜１５ａは、互いに連続して、蛍光ランプ４１を囲む枠状壁をなしている。この枠状壁は本実施形態では反射壁として機能する。このため、枠体１１は反射枠として用いられている。枠第１の枠材１２の斜状をなした壁部１２ａの縁部１２ｂは、枠材１２の図２及び図３に示すように枠材１２の裏側に折れ曲がってシャーシ３の設置壁３ｂに面接触するように設けられている。同様に、第２の枠材１３の斜状をなした壁部１３ａの縁部１３ｂも、図２及び図３に示すように枠材１３の裏側に折れ曲がってシャーシ３の設置壁３ｂに面接触するように設けられている。これらの縁部１２ｂ,１３ｂを本発明では折り曲げ縁部と称する。
【００２５】
第３の枠材１４の斜状をなした壁部１４ａの縁部１４ｂ及び第４の枠材１５の斜状をなした壁部１５ａの縁部１５ｂは、図２、図４、及び図６に示すように設置壁３ｂと対向して折れ曲がっていて、枠体１１の中央部方向に向けて突出している。これらの縁部１４ｂ、１５ｂを本発明では連結縁部と称する。
【００２６】
枠体１１は、一方の連結縁部１４ｂの長手方向両端部を一対の連結凸部９ａ，９ｂの先端面に重ねるとともに、他方の連結縁部１５ｂの長手方向両端部を他の一対の連結凸部９ｃ，９ｄの先端面に重ねてシャーシ３と組み合わされ、この状態で、連結縁部１４ｂ，１５ｂの長手方向両端部に開けた通孔を通って各連結凸部９ａ〜９ｄに、固着手段例えばねじ１６ａ〜１６ｄ（図１〜図４参照）を夫々天井Ｃに向けてねじ込むことによって、器具本体２が組立てられている。ねじ１６ａ〜１６ｄには例えば化粧ねじを用いることが好ましい。
【００２７】
既述のようにねじ１６ａ〜１６ｄが螺合されるシャーシ３の連結凸部９ａ〜９ｄは、設置壁３ｂを境に、この設置壁３ｂから下方、言い換えれば、器具設置部である天井Ｃとは反対方向に突出している。そして、既述のように、これら連結凸部９ａ〜９ｄにねじ１６ａ〜１６ｄを個別に螺合して枠体１１の連結縁部１４ｂ，１５ｂをねじ止めして、シャーシ３と枠体１１とが組立てられる。
【００２８】
器具本体２が天井Ｃにねじ止めされた状態では、連結凸部９ａ〜９ｄとスペーサ凸部７との合計の高さで、設置壁３ｂの裏面に突出するねじ１６ａ〜１６ｄの先端が天井Ｃに干渉することが防止されている。このため、連結凸部９ａ〜９ｄの高さに応じてスペーサ凸部７の高さを低くできる。したがって、天井Ｃと設置壁３ｂとの間の隙間Ｓを狭くでき、この隙間Ｓが目立たなくなるとともに、天井Ｃからの照明器具１の出幅Ｔが小さくなるので、天井Ｃに設置された状態での照明器具１の体裁を向上できる。
【００２９】
器具本体２の前記組立てでは、はじめに、天井Ｃに既に固定されたシャーシ３の一対の係止片８に枠体１１の折り曲げ縁部１２ｂを利用して、この折り曲げ縁部１２ｂを引っ掛けることによって、シャーシ３に枠体１１を仮に位置決めできるとともに、この枠体１１の第１の枠材１２側をシャーシ３から脱落しないように引っ掛け保持できる。これにより、次に枠体１１の第２の枠材１３側を押し上げて、シャーシ３の各連結凸部９ａ〜９ｄと連結縁部１４ｂ，１５ｂとを簡易に位置決めして、ねじ１６ａ〜１６ｄのねじ込みを行える。
【００３０】
このように枠体１１が四角環状であって、その中央部が開いていて、この中央部を作業者の手や頭で支持できないにも拘わらず、既述の引っ掛けにより枠体１１をシャーシ３に仮保持できるので、天井側高所での器具本体２の組立て、つまり、天井Ｃに固定されたシャーシ３に枠体１１をねじ１６ａ〜１６ｄで連結する作業を容易に実施できる。この組立てにより、通孔４ａ，４ｂ、係止片８等は第１の枠材１２で覆い隠されるともに、シャーシ３に固定される図示しない点灯装置及び各種の電線は枠体１１によって覆い隠される。そして、ねじ１６ａ〜１６ｄの締付け力によって、前記折り曲げ縁部１２ｂ、１３ｂが夫々設置壁３ｂに押付けられて密接される。
【００３１】
一方、ねじ１６ａ〜１６ｄの締付けに拘わらず、連結縁部１４ｂ、１５ｂは、設置壁３ｂに接することはなく、連結凸部９ａ〜９ｄの高さに応じた隙間Ｇ１（図３及び図４参照）を形成して設置壁３ｂに対向する。隙間Ｇ１は、枠体１１の裏面とシャーシ３との間の空隙Ｇ２に連通しており、空隙Ｇ２は、シャーシ３の開口縁部３ａと枠体１１の外周縁部との間の隙間Ｇ３を通って器具本体２の外部に連通している。したがって、蛍光ランプ４１が配置された前記内周壁の内側空間は、以上の隙間Ｇ１、空隙Ｇ２、及び隙間Ｇ３を介して器具本体２の外部に連通されている。
【００３２】
このため、点灯された蛍光ランプ４１により加熱される周囲の空気は、互いに連続した壁部１２ａ〜１５ａで形成された内周壁の内側空間に滞ることがなく、前記連通経路を通じて器具本体２の外部に排出される。これにより、蛍光ランプ４１の温度上昇を抑制できる。
【００３３】
更に、連結縁部１４ｂ、１５ｂは、前記隙間Ｇ１に相当する分だけ蛍光ランプ４１側に寄せられて、図４に示すように連結縁部１４ｂ，１５ｂに対し、その直下に近接して蛍光ランプ４１のバルブ４３が、連結縁部１４ｂ，１５ｂに沿うようにして対向配置されている。
【００３４】
これにより、点灯された蛍光ランプ４１のバルブ４３から放出される輻射熱を、バルブ４３に接近している連結縁部１４ｂ，１５ｂで吸熱できる。吸熱された熱は、金属製の枠体１１全体に熱伝導により拡散するので、この枠体１１を放熱要素として用いて周囲に放出できる。しかも、既述のように、金属製の枠体１１の折り曲げ縁部１２ｂ，１３ｂが金属製のシャーシ３の設置壁３ｂに面接触して、これら折り曲げ縁部１２ｂ，１３ｂを通して枠体１１からシャーシ３へも熱伝導ができる。このため、連結縁部１４ｂ，１５ｂが吸熱して枠体１１全体に拡散された蛍光ランプ４１の熱を、折り曲げ縁部１２ｂ，１３ｂを介してシャーシ３に伝導させて、このシャーシ３からも外部に放出できる。
【００３５】
以上のように蛍光ランプ４１の周囲の温度が高い空気を滞留させずに器具本体２外に排出できることに加えて、蛍光ランプ４１の輻射熱を、枠体１１並びにこれに熱的に接続されたシャーシ３から外部に放出できるので、蛍光ランプ４１の温度上昇を抑制できる。このため、蛍光ランプ４１の発光効率を向上させることが可能である。
【００３６】
なお、図１、図３〜図６中符号２１は、制光体例えば２枚の第１のバッフル片２２と、他の２枚の第２のバッフル片２３とを井桁状に組み合わせてなるバッフルを示している。このバッフル２１を枠体１１に取付けるために、図２等に示すように第１の枠材１２の壁部１２ａには例えば２つの第１の取付け孔２４が開けられているとともに、第２の枠材１３の壁部１３ａにも第１の取付け孔２４と同数の第２の取付け孔２５が開けられている。これらの取付け孔２４，２５はスリットで形成されている。更に、第１の枠材１２の壁部１２ａに、スリットからなる通孔２６が第１の取付け孔２４の近傍に位置して開けられている。しかも、図３及び図５に示すように壁部１２ａの裏面には、自由端部側に係止孔２７と通孔２６を挿通する解除凸部２８を有した板ばね２９が、第１の取付け孔２４に夫々対応してリベットなどの固定部品３０で取り付けられている。壁部１２ａの裏面に板ばね２９が接触している状態で係止孔２７の下端は第１の取付け孔２４の下端よりも上側に位置している。そして、図３及び図５に示すように第１のバッフル片２２の一端部には係止孔２７に係脱される斜状の係止凸部２２ａが形成され、第１のバッフル片２２の他端部には挿入端部２２ｂが形成されている。
【００３７】
バッフル２１は、その挿入端部２２ｂを第２の取付け孔２５に挿入させた状態で、上向きに回転されることにより、係止凸部２２ａを第１の取付け孔２４に押し込み、この係止凸部２２ａの下縁部を係止孔２７の下端に引掛かけて、枠体１１に取付けられる。この場合、係止凸部２２ａが、板ばね２９の第１の取付け孔２４に臨んでいる部分に当たって、板ばね２９を壁部１２ａの裏面から離れるように弾性変形させることで、係止凸部２２ａが第１の取付け孔２４から外れて、板ばね２９がその弾性力で壁部１２ａの裏面に密接すると同時に、係止凸部２２ａの下縁部が係止孔２７の下端に引っ掛かる。
【００３８】
又、この取付け状態で、解除凸部２８を押し込んで板ばね２９を弾性変形させることによって、第１の取付け孔２４への係止凸部２２ａの引っ掛かりを外すことができるので、第２の取付け孔２５側を支点としてバッフル２１を開くことができる。この場合、挿入端部２２ｂの先端部２２ｃは第２の取付け孔２５を通過不能に折り曲げられているので、開かれたバッフル２１が脱落しないようにできる。
【００３９】
なお、本発明は前記一実施形態には制約されない。例えば、連結凸部９ａ〜９ｄの突出高さを大きくする場合には、シャーシ３のスペーサ凸部７を省略することが可能である。そして、スペーサ凸部７が省略される構成では、金属製シャーシ３の裏面と天井Ｃ等の器具設置部との間の隙間を消失させて照明器具１が器具設置部に直付けされるので、設置状態での体裁を更に向上できる。それだけではなく、シャーシ３から器具設置部への伝熱が良好となり器具設置部を放熱部材とすることができるので、器具本体２及び蛍光ランプ４１の温度上昇をより有効を抑制して、蛍光ランプ４１の発光効率の低下を更に抑制できるものである。
【図面の簡単な説明】
【００４０】
【図１】本発明の一実施形態に係る天井直付け形照明器具を示す斜視図。
【図２】図１の照明器具が備える器具本体を示す正面図。
【図３】図１中矢印Ｆ３−Ｆ３線に沿って示す断面図。
【図４】図１中矢印Ｆ４−Ｆ４線に沿って示す断面図。
【図５】図２の器具本体が備える枠体にバッフルが取付けられた状態を示す断面図。
【図６】図２の器具本体が備える枠体にバッフルが取付けられた状態を図５とは直角な方向に沿って示す断面図。
【符号の説明】
【００４１】
１…照明器具、２…器具本体、３…器具本体のシャーシ、３ｂ…設置壁、７…スペーサ凸部、８…係止片、９ａ〜９ｄ…連結凸部、１１…器具本体の枠体、１２…第１の枠材、１３…第２の枠材、１４…第３の枠材、１５…第４の枠材、１２ａ〜１５ａ…第１〜第４の枠材の壁部（内周壁）、１２ｂ、１３ｂ…折り曲げ縁部、１４ｂ、１５ｂ…連結縁部、１６ａ〜１６ｄ…ねじ（固着手段）、４１…蛍光ランプ、４２…口金、４３…バルブ、Ｃ…天井（器具設置部）、Ｇ１…隙間、Ｇ２…空隙、Ｇ３…隙間
【図１】
2006120425.tif 000003
【図２】
2006120425.tif 000004
【図３】
2006120425.tif 000005
【図４】
2006120425.tif 000006
【図５】
2006120425.tif 000007
【図６】
2006120425.tif 000008